(57)【特許請求の範囲】
【請求項１】
透過型の液晶パネルと、
ランプ、リフレクタ、導光板、及び各種シート類をモールドフレームで支持し、上記液晶パネルに背面側から光を照射する面状光源装置と、
上記液晶パネルと屈曲性を有する配線板を介して接続され、上記面状光源装置の上記モールドフレームの裏面側に接触して配置されるプリント基板とを備えた液晶表示装置において、
上記モールドフレームは、上記プリント基板上の実装部品との干渉を防止するための桟部分を有し、この桟部分は、上記モールドフレームの上記導光板の側面を囲む部分から上記液晶パネルの表示領域に対応する領域内に伸び、この領域内で略直角に曲がったコーナー部を形成しており、上記コーナー部は、上記桟部分の他の部分より厚みが薄く形成されていることを特徴とする液晶表示装置。
【請求項２】
上記コーナー部には、上記導光板側および上記プリント基板側のいずれか一方または両方の面に、凹形状の段差部が形成されていることを特徴とする請求項１記載の液晶表示装置。
【請求項３】
上記コーナー部には、上記導光板側および上記プリント基板側のいずれか一方または両方の面に、上記コーナー部先端に向かって厚みが薄くなるテーパー部が形成されていることを特徴とする請求項１記載の液晶表示装置。
【発明の詳細な説明】
【０００１】
【発明の属する技術分野】
この発明は、面状光源装置をバックライトとして搭載した液晶表示装置に関するものである。
【０００２】
【従来の技術】
従来の面状光源装置を搭載した液晶表示装置の一例を以下に示す。
図９は液晶パネルに液晶駆動用ＩＣが実装されたＩＣ実装済み液晶パネルを示す平面図である。図９において、１１は液晶パネルで、二枚の基板を所定の間隔を設けて対向させ、基板周辺部においてシール材により接着すると共に二枚の基板間に液晶層を封入することにより形成される。１２は液晶パネル１１の電極端子部に電気的に接続された屈曲性を有する配線板（テープキャリアパッケージ：以下、ＴＣＰと称する）で、液晶駆動用ＩＣが実装されている。１３はＴＣＰ１２の入力用電極端子部に電気的に接続されたプリント基板（以下、ＰＷＢと称する）で、液晶パネル１１に複数個接続されたＴＣＰ１２に入力信号を供給する。
【０００３】
図１０は図９に示す液晶パネルに背面側から光を照射する面状光源装置を示す図で、（ａ）は面状光源装置を背面側から見た平面図、（ｂ）は（ａ）に示すＨ−Ｈ線に沿った断面から見た側面図、（ｃ）は（ａ）に示すＪ−Ｊ線に沿った断面から見た側面図である。
図１０において、１は光源となるランプ、２はランプ１の周りに設けられ、ランプ１から出射された光を反射させて一方向に集約して放射するリフレクタ、３は一側面にリフレクタ２が装着され、リフレクタ２により一方向に放射された光が入射する矩形状の導光板、４は導光板３の裏面側に装着された反射シート、５、６は導光板３の表面側（発光面側）に装着されたレンズシートと拡散シートで、導光板３に入射した光を導光板３により伝播させて発光面に広げると共に、導光板３の裏面側に漏出した光は反射シート４により反射させて導光板３に戻し、かつ導光板３の発光面側においてはレンズシート５により効率よく光を発光面に広げ、拡散シート６によりムラなく発光させる。
【０００４】
７はランプ１、リフレクタ２、導光板３および各種シート４、５、６を支持するモールドフレームで、上記各部品をモールドフレーム７に組み込むことにより面状光源装置を構成する。
なお、モールドフレーム７は、後述する図１１に示すように、面状光源装置の裏面側に配置されるＰＷＢ１３と接する構造となるため、ＰＷＢ１３上のコネクタ等の実装部品との干渉を防止するために桟部分８が設けられている。
【０００５】
図１１は図９に示すＩＣ実装済み液晶パネルと図１０に示す面状光源装置とから構成される液晶表示装置を示す図で、（ａ）は断面図、（ｂ）は部分拡大断面図である。
液晶表示装置は、液晶パネル１１を面状光源装置の発光面上（拡散シート６上）に配置し、ＴＣＰ１２を折り曲げてＰＷＢ１３を面状光源装置の裏面側のモールドフレーム７と接するように配置する。この状態で液晶パネル１１側からフロントフレーム１４を嵌め込み、さらに、面状光源装置の裏面側に配設したＴＣＰ１２およびＰＷＢ１３を保護するために絶縁ＰＥＴフィルム１５を装着し、絶縁ＰＥＴフィルム１５をフロントフレーム１４とモールドフレーム７に粘着テープを用いて固定することにより構成される。
【０００６】
【発明が解決しようとする課題】
面状光源装置のモールドフレーム７は通常、射出成形により形成されるため、図１０に示すモールドフレーム７の形状においては、桟部分８のコーナー部に厚みのバラツキが生じ易い傾向にある。
従来の液晶表示装置は以上のように構成されており、モールドフレーム７がＰＷＢ１３と接触する形態で配置されるため、モールドフレーム７の桟部分８のコーナー部厚みにバラツキが生じた場合、モールドフレーム７の桟部分８がＰＷＢ１３により圧迫されて、桟部分８のコーナー部が反射シート４、導光板３、レンズシート５および拡散シート６を介して液晶パネル１１の表示領域内を圧迫することにより、液晶表示画面に水面に石を投じたときに生じる振動のような現象が発生して表示不良となるなどの問題があった。
【０００７】
この発明は、上記のような問題点を解消するためになされたもので、面状光源装置のモールドフレームによる液晶パネルへの圧迫を防止し、表示品位の高い液晶表示装置を得ることを目的とする。
【０００８】
【課題を解決するための手段】
この発明に係わる液晶表示装置は、透過型の液晶パネルと、ランプ、リフレクタ、導光板、及び各種シート類をモールドフレームで支持し、液晶パネルに背面側から光を照射する面状光源装置と、液晶パネルと屈曲性を有する配線板を介して接続され、面状光源装置の裏面側のモールドフレームと接触して配置されるプリント基板とを備えた液晶表示装置であり、モールドフレームは、プリント基板上の実装部品との干渉を防止するための桟部分を有し、この桟部分は、モールドフレームの導光板の側面を囲む部分から液晶パネルの表示領域に対応する領域内に伸び、この領域内で略直角に曲がったコーナー部を形成しており、コーナー部は、桟部分の他の部分より厚みが薄く形成されているものである。
【０００９】
また、コーナー部には、導光板側およびプリント基板側のいずれか一方または両方の面に、凹形状の段差部が形成されているものである。
また、コーナー部には、導光板側およびプリント基板側のいずれか一方または両方の面に、コーナー部先端に向かって厚みが薄くなるテーパー部が形成されているものである。
【００１０】
【発明の実施の形態】
実施の形態１．
以下、この発明の一実施の形態である液晶表示装置を図について説明する。図１はこの発明の実施の形態１による液晶表示装置の液晶パネルに背面側から光を照射する面状光源装置を示す図で、（ａ）は面状光源装置を背面側から見た平面図、（ｂ）は（ａ）に示すＡ−Ａ線に沿った断面から見た側面図、（ｃ）は（ａ）に示すＢ−Ｂ線に沿った断面から見た側面図である。
【００１１】
図１において、１は光源となるランプ、２はランプ１の周りに設けられ、ランプ１から出射された光を反射させて一方向に集約して放射するリフレクタ、３は一側面にリフレクタ２が装着され、リフレクタ２により一方向に放射された光が入射する矩形状の導光板、４は導光板３の裏面側に装着された反射シート、５、６は導光板３の表面側（発光面側）に装着されたレンズシートと拡散シート、７はランプ１、リフレクタ２、導光板３および各種シート４、５、６を支持するモールドフレーム、８はモールドフレーム７に設けられた桟部分、８ａは桟部分８のコーナー部のモールドフレーム７外側（面状光源装置の外側）に設けられた凹形状の外側段差部である。
【００１２】
上記各部品をモールドフレーム７に組み込むことにより構成される面状光源装置は、ランプ１から出射され、リフレクタ２により一方向に放射されて導光板３に入射した光を、導光板３により伝播させて発光面に広げると共に、導光板３の裏面側に漏出した光は反射シート４により反射させて導光板３に戻し、かつ導光板３の発光面側においてはレンズシート５により効率よく光を発光面に広げ、拡散シート６によりムラなく発光させる。
【００１３】
また、図２は液晶パネルに液晶駆動用ＩＣが実装されたＩＣ実装済み液晶パネルを示す平面図、図３は図２に示すＩＣ実装済み液晶パネルと図１に示す面状光源装置とから構成される液晶表示装置を示す断面図である。
図２および図３において、１１は液晶パネル、１２は液晶パネル１１の電極端子部に電気的に接続された屈曲性を有する配線板（テープキャリアパッケージ：ＴＣＰ）、１３はＴＣＰ１２の入力用電極端子部に電気的に接続されたプリント基板（ＰＷＢ）、１４は液晶表示装置のフロントフレーム、１５は絶縁ＰＥＴフィルムである。
【００１４】
液晶表示装置は、液晶パネル１１を面状光源装置の発光面上（拡散シート６上）に配置し、ＴＣＰ１２を折り曲げてＰＷＢ１３を面状光源装置の裏面側のモールドフレーム７と接するように配置する。この状態で液晶パネル１１側からフロントフレーム１４を嵌め込み、さらに、面状光源装置の裏面側に配設したＴＣＰ１２およびＰＷＢ１３を保護するために絶縁ＰＥＴフィルム１５を装着し、絶縁ＰＥＴフィルム１５をフロントフレーム１４とモールドフレーム７に粘着テープを用いて固定することにより構成される。
なお、モールドフレーム７の桟部分８は、面状光源装置の裏面側に配置されるＰＷＢ１３上の実装部品との干渉を防止するために設けられ、導光板３の側面を囲む部分から液晶パネル１１の表示領域に対応する領域内に伸び、この領域内で略直角に曲がったコーナー部を形成している。
【００１５】
本実施の形態の面状光源装置においては、モールドフレーム７に設けられた桟部分８のコーナー部に凹形状の外側段差部８ａを形成して、桟部分８のコーナー部の厚みを桟部分８の他の部分の厚みより薄くする。
【００１６】
本実施の形態によれば、面状光源装置のモールドフレーム７の厚みのバラツキが生じ易い桟部分８のコーナー部に、凹形状の外側段差部８ａを形成して他の部分より薄くすることにより、この部分に厚みのバラツキが生じた場合においても、面状光源装置の裏面側にＰＷＢ１３を接触して配設したときに、桟部分８のコーナー部が導光板３等を介して液晶パネル１１を圧迫するのを防止することができる。
【００１７】
実施の形態２．
実施の形態１では、面状光源装置のモールドフレーム７に設けられた桟部分８のコーナー部に形成する段差部をモールドフレーム７の外側（ＰＷＢ１３側）の面に形成したが、図４に示すように、モールドフレーム７の内側（導光板３側）の面に内側段差部８ｂを形成することによっても実施の形態１と同様の効果が得られる。
【００１８】
図４はこの発明の実施の形態２による液晶表示装置の液晶パネルに背面側から光を照射する面状光源装置を示す図で、（ａ）は面状光源装置を背面側から見た平面図、（ｂ）は（ａ）に示すＣ−Ｃ線に沿った断面から見た側面図である。
なお、その他の構成は実施の形態１と同様であるので説明を省略する。
【００１９】
実施の形態３．
実施の形態１および２では、面状光源装置のモールドフレーム７に設けられた桟部分８のコーナー部に段差部を形成したが、図５に示すように、桟部分８のコーナー部のモールドフレーム７外側（ＰＷＢ１３側）の面に、コーナー部先端に向かって厚みが薄くなる外側テーパー部８ｃを形成することによっても実施の形態１と同様の効果が得られる。
【００２０】
図５はこの発明の実施の形態３による液晶表示装置の液晶パネルに背面側から光を照射する面状光源装置を示す図で、（ａ）は面状光源装置を背面側から見た平面図、（ｂ）は（ａ）に示すＤ−Ｄ線に沿った断面から見た側面図である。
なお、その他の構成は実施の形態１と同様であるので説明を省略する。
【００２１】
実施の形態４．
実施の形態３では、面状光源装置のモールドフレーム７に設けられた桟部分８のコーナー部に形成するテーパー部をモールドフレーム７の外側の面に形成したが、図６に示すように、モールドフレーム７の内側（導光板３側）の面に内側テーパー部８ｄを形成することによっても実施の形態１と同様の効果が得られる。
【００２２】
図６はこの発明の実施の形態４による液晶表示装置の液晶パネルに背面側から光を照射する面状光源装置を示す図で、（ａ）は面状光源装置を背面側から見た平面図、（ｂ）は（ａ）に示すＥ−Ｅ線に沿った断面から見た側面図である。
なお、その他の構成は実施の形態１と同様であるので説明を省略する。
【００２３】
実施の形態５．
実施の形態１および２では、面状光源装置のモールドフレーム７に設けられた桟部分８のコーナー部に形成する段差部は、モールドフレーム７の片側の面にのみ形成したが、図７に示すように、モールドフレーム７の両側の面に外側段差部８ａと内側段差部８ｂとを同時に形成することによっても実施の形態１と同様の効果が得られる。
【００２４】
図７はこの発明の実施の形態５による液晶表示装置の液晶パネルに背面側から光を照射する面状光源装置を示す図で、（ａ）は面状光源装置を背面側から見た平面図、（ｂ）は（ａ）に示すＦ−Ｆ線に沿った断面から見た側面図である。
なお、その他の構成は実施の形態１と同様であるので説明を省略する。
【００２５】
実施の形態６．
実施の形態３および４では、面状光源装置のモールドフレーム７に設けられた桟部分８のコーナー部に形成するテーパー部は、モールドフレーム７の片側の面にのみ形成したが、図８に示すように、モールドフレーム７の両側の面に外側テーパー部８ａと内側テーパー部８ｂとを同時に形成することによっても実施の形態１と同様の効果が得られる。
【００２６】
図８はこの発明の実施の形態６による液晶表示装置の液晶パネルに背面側から光を照射する面状光源装置を示す図で、（ａ）は面状光源装置を背面側から見た平面図、（ｂ）は（ａ）に示すＧ−Ｇ線に沿った断面から見た側面図である。
なお、その他の構成は実施の形態１と同様であるので説明を省略する。
【００２７】
【発明の効果】
以上のように、この発明によれば、液晶表示装置のバックライトとして搭載される面状光源装置のモールドフレームにおいて、面状光源装置の裏面側に配置されるＰＷＢ上の実装部品との干渉を防止するために設けられる桟部分のコーナー部に、段差部もしくはテーパー部を形成して桟部分の他の部分より厚みを薄くすることにより、桟部分のコーナー部に厚みのバラツキが生じた場合においても、面状光源装置の裏面側にＰＷＢを接触して配設したときにモールドフレームの桟部分のコーナー部が導光板等を介して液晶パネルを圧迫することはなく、表示品位の高い液晶表示装置を得ることができる。
【図面の簡単な説明】
【図１】  この発明の実施の形態１による液晶表示装置の液晶パネルに背面側から光を照射する面状光源装置を示す図である。
【図２】  この発明の実施の形態１による液晶表示装置のＩＣ実装済み液晶パネルを示す平面図である。
【図３】  この発明の実施の形態１による液晶表示装置を示す断面図である。
【図４】  この発明の実施の形態２による液晶表示装置の液晶パネルに背面側から光を照射する面状光源装置を示す図である。
【図５】  この発明の実施の形態３による液晶表示装置の液晶パネルに背面側から光を照射する面状光源装置を示す図である。
【図６】  この発明の実施の形態４による液晶表示装置の液晶パネルに背面側から光を照射する面状光源装置を示す図である。
【図７】  この発明の実施の形態５による液晶表示装置の液晶パネルに背面側から光を照射する面状光源装置を示す図である。
【図８】  この発明の実施の形態６による液晶表示装置の液晶パネルに背面側から光を照射する面状光源装置を示す図である。
【図９】  従来のこの種液晶表示装置のＩＣ実装済み液晶パネルを示す平面図である。
【図１０】  従来の液晶表示装置の液晶パネルに背面側から光を照射する面状光源装置を示す図である。
【図１１】  従来の液晶表示装置を示す断面図である。
【符号の説明】
１  ランプ、２  リフレクタ、３  導光板、４  反射シート、
５  レンズシート、６  拡散シート、７  モールドフレーム、８  桟部分、
８ａ  外側段差部、８ｂ  内側段差部、８ｃ  外側テーパー部、
８ｄ  内側テーパー部、１１  液晶パネル、  １２  ＴＣＰ、１３  ＰＷＢ、
１４  フロントフレーム、１５  絶縁ＰＥＴフィルム。
【図１】
0004391007.tif 000002
【図２】
0004391007.tif 000003
【図３】
0004391007.tif 000004
【図４】
0004391007.tif 000005
【図５】
0004391007.tif 000006
【図６】
0004391007.tif 000007
【図７】
0004391007.tif 000008
【図８】
0004391007.tif 000009
【図９】
0004391007.tif 000010
【図１０】
0004391007.tif 000011
【図１１】
0004391007.tif 000012